(57)【要約】【課題】  異なる大きさの網目を備えた網体を簡単に製造できる方法およびその製造装置を提供することである。【解決手段】  網体の製造方法は、複数の山形状列線２７、２８の屈曲部２７ａ、２８ａ同士が相互に重ね合わされて形成された大ループ状部３０と小ループ状部２９とにおける一つおきの小ループ状部２９を、先送用挟持具４ａで上下から挟んで捻ることにより小網目３２を形成し、該小網目３２を順次形成しながら山形状列線３１を先送りした後、該先送りした箇所から山形状列線３１を引き戻して残りの小ループ状部２９を後戻用挟持具４ｂで上下から挟んで捻ることにより小網目３２を順次形成することである。【選択図】  図１４
2006007243.tif 000002
【特許請求の範囲】
【請求項１】
複数の山形状列線の屈曲部同士が相互に重ね合わされて形成された小ループ状部が捻られて形成された小網目と大網目とからなる網体において、前記小網目は、山形状列線の先送りによる時計回りの捻りで形成された小網目の列と、山形状列線の引き戻しによる反時計回りの捻りで形成された小網目の列とが交互に形成されてなることを特徴とする網体。
【請求項２】
複数の山形状列線の屈曲部同士が相互に重ね合わされて形成された大ループ状部と小ループ状部とにおける一つおきの小ループ状部を、先送用挟持具で上下から挟んで捻ることにより小網目を形成し、該小網目を順次形成しながら山形状列線を先送りした後、該先送りした箇所から山形状列線を引き戻して残りの小ループ状部を後戻用挟持具で上下から挟んで捻ることにより小網目を順次形成することを特徴とする網体の製造方法。
【請求項３】
小ループ状部は、先送用挟持具と後戻用挟持具とではそれぞれ反対方向に捻られることを特徴とする請求項２に記載の網体の製造方法。
【請求項４】
複数の山形状列線の屈曲部同士が相互に重ね合わされて形成された小ループ状部を捻って小網目を形成する捻り用ピニオンと、該捻り用ピニオンに噛み合ったラックとからなる小網目形成装置がテーブル上に隣接して配設され、前記捻り用ピニオンは、上下に分割されてなる上部歯車と下部歯車とが合体した状態で、上部収納体と下部収納体とが合体してなる収納体内に回転自在に収納され、該収納体の底部に設けた開口部から捻り用ピニオンの歯が突出してラックの歯に噛み合わされ、上部収納体が上部歯車を収納した状態で、下部歯車を収納した下部収納体から分離可能であり、上部収納体と下部収納体との接合部には列線収納用孔が形成されたことを特徴とする網体の製造装置。
【請求項５】
小網目形成装置は、先送用挟持具と後戻用挟持具とから構成され、この先送用挟持具と後戻用挟持具とが交互に設置されたことを特徴とする請求項４に記載の網体の製造装置。
【発明の詳細な説明】
【技術分野】
【０００１】
本発明は網体および網体の製造方法ならびにその製造装置に関するものである。
【背景技術】
【０００２】
従来の網体の製造装置としては、例えば特開平５−１６９４８９号の発明が知られている。また網体としては、図１６に示すような菱形金網３８が知られている。この菱形金網３８は山形状列線３９の屈曲部４０同士を絡み合わせて形成したものであり、網目４１が全て同じ大きさになっている。
【特許文献１】特開平５−１６９４８９号（図１）
【発明の開示】
【発明が解決しようとする課題】
【０００３】
しかし、上記のような網体においては異なる大きさの網目を形成することができなかった。
【０００４】
本発明はこれらの問題に鑑みてなされたものであり、異なる大きさの網目を備えた網体およびこの網体を簡単に製造できる方法およびその製造装置を提供することである。
【課題を解決するための手段】
【０００５】
以上の課題を解決するための網体は、複数の山形状列線の屈曲部同士が相互に重ね合わされて形成された小ループ状部が捻られて形成された小網目と大網目とからなる網体において、前記小網目は、山形状列線の先送りによる時計回りの捻りで形成された小網目の列と、山形状列線の引き戻しによる反時計回りの捻りで形成された小網目の列とが交互に形成されてなることを特徴とする。
また網体の製造方法は、複数の山形状列線の屈曲部同士が相互に重ね合わされて形成された大ループ状部と小ループ状部とにおける一つおきの小ループ状部を、先送用挟持具で上下から挟んで捻ることにより小網目を形成し、該小網目を順次形成しながら山形状列線を先送りした後、該先送りした箇所から山形状列線を引き戻して残りの小ループ状部を後戻用挟持具で上下から挟んで捻ることにより小網目を順次形成することを特徴とする。また小ループ状部は、先送用挟持具と後戻用挟持具とではそれぞれ反対方向に捻られることを含むものである。
また網体の製造装置は、複数の山形状列線の屈曲部同士が相互に重ね合わされて形成された小ループ状部を捻って小網目を形成する捻り用ピニオンと、該捻り用ピニオンに噛み合ったラックとからなる小網目形成装置がテーブル上に隣接して配設され、前記捻り用ピニオンは、上下に分割されてなる上部歯車と下部歯車とが合体した状態で、上部収納体と下部収納体とが合体してなる収納体内に回転自在に収納され、該収納体の底部に設けた開口部から捻り用ピニオンの歯が突出してラックの歯に噛み合わされ、上部収納体が上部歯車を収納した状態で、下部歯車を収納した下部収納体から分離可能であり、上部収納体と下部収納体との接合部には列線収納用孔が形成されたことを特徴とする。また小網目形成装置は、先送用挟持具と後戻用挟持具とから構成され、この先送用挟持具と後戻用挟持具とが交互に設置されたことを含むものである。
【発明の効果】
【０００６】
重ね合わせた屈曲部同士で形成された小ループ状部を捻ると、大網目と小網目とが同時に形成されるので、大きさの異なる大網目と小網目とを備えた網体を簡単に製造することができる。また先送用挟持具で一つおきの小ループ状部に小網目を形成しながら山形状列線を先送りした後、該先送りした箇所から山形状列線を引き戻して後戻用挟持具で残りの小ループ状部に小網目を形成すると、大きさの異なる大網目と小網目とを備えた網体を簡単に製造することができる。また小網目が互いに異なった回転方向で捻られているため、いかなる方向にも反らない水平な網体を形成することができる。
【０００７】
上部収納体が上部歯車を収納した状態で、下部歯車を収納した下部収納体から分離したときに、下部収納体上に小ループ状部が設置される。そして上部歯車を収納した上部収納体が下部収納体に合体して小ループ状部を上下から挟み付ける。この状態でラックがスライドして捻り用ピニオンを回転させると、多くの小網目が同時に形成される。
【発明を実施するための最良の形態】
【０００８】
以下、本発明の網体およびその製造方法ならびにその製造装置の実施の形態について説明する。はじめに網体の製造装置について説明し、その後に網体の製造方法について説明し、この製造法で製造された網体について説明する。また各実施の形態において同じ構成は同じ符号を付して説明し、異なった構成にのみ異なった符号を付して説明する。
【０００９】
網体の製造装置１は、図１〜図３に示すように、基台２のテーブル３上に隣接または適宜間隔をもって並列状に配設した多数の小網目形成装置４により構成されている。この小網目形成装置４は先送用挟持具４ａと後戻用挟持具４ｂとから構成され、この先送用挟持具４ａと後戻用挟持具４ｂとが前後にずれた状態で交互に設置されている。この先送用挟持具４ａと後戻用挟持具４ｂとは捻り用ピニオン５と、この捻り用ピニオン５に噛み合ったラック６とから構成され、該ラック６が前後にスライドする水平スライドプレート７に取り付けられてシリンダー８で前後方向に移動できるようになっている。
【００１０】
この捻り用ピニオン５は、図４〜図８に示すように、上下に分割された上部歯車９と下部歯車１０とからなり、これらが合体して、上部収納体１１と下部収納体１２とが合体してなる収納体１３内に収納されている。この上部収納体１１と下部収納体１２との接合部の両側面には、段差部１１ａ、１１ｂによって列線収納用孔１２ａが形成されている。
【００１１】
また捻り用ピニオン５の側面に突出した環状突起１４が、収納体１３の内壁面における軸１５に嵌め込まれ、この軸１５を中心に捻り用ピニオン５が回転できるようになっている。また捻り用ピニオン５の歯１６が、収納体１３の底部の開口部１７から突出して、ラックの歯１６に噛み合わされ、該ラック６の前後方向への移動によって、捻り用ピニオン５が収納体１３内で回転する。
【００１２】
また捻り用ピニオン５は、図６に示すように、下部収納体１２に下部歯車１０が、上部収納体１１に上部歯車９がそれぞれ収納された状態で分離できるが、この上部収納体１１が分離した状態でも、上部歯車９が半割れの環状突起１４が半割れの軸１５に嵌め合わされ、かつロック装置９ａのロックピン９ｂが歯に噛み合っているため落下することがない。
【００１３】
また上部収納体１１は、上下にスライドする垂直スライドプレート１９に設置され、この垂直スライドプレート１９が両側壁のスライド用のガイド２１間に設置されている（図２参照）。したがって、天板２３に設置されたシリンダー２２で垂直スライドプレート１９が上下動可能となり、これにより上部収納体１１と下部収納体１２とが合体または分離し、合体した状態で収納体１３となる。
【００１４】
以上のように上部収納体１１が下部収納体１２から分離すると、下部収納体１２に山形状列線の屈曲部を載せることができ、この屈曲部の線体を入れる凹溝２６が上下の収納体１１、１２に形成されている（図６参照）。また、上下の歯車９、１０の一方側には、屈曲部の先端を入れる収納凹部２４が形成され、歯車９、１０の中央部には、小ループ状部の捻り部（図１２の（２）参照）２５を形成する半円形の凹部３４が形成されている。そして、下部収納体１２に、重ね合わせた山形状列線の屈曲部を載せた後、上部収納体を合体させると、重ね合わせた山形状列線が接合部の列線収納用孔１２ａに収納される。
【００１５】
そして、この上部収納体１１と下部収納体１２とを合体させた状態で、ラックを前方に移動させると捻り用ピニオン５が時計回りに回転するとともに、前方に移動したラック６を後方に引き戻すと捻り用ピニオン５が反時計回りに回転する。
【００１６】
また、この合体した上部収納体１１と下部収納体１２とを分離するには、下部歯車１０が下部収納体１２に、上部歯車９が上部収納体１１に収納された状態でなければならないが、この状態はラック６の移動距離で調整する。すなわち、捻り用ピニオン５を３６０度、または７２０度回転させる場合は、その回転分のラックの移動幅を設定する。
【００１７】
例えば、図６に示すように、上下の収納体１１、１２が分離できる状態を通常の状態とし、この状態から所定の幅だけラック６を前方に移動させると、捻り用ピニオン５が３６０度回転して、下部歯車１０が下部収納体１２に、上部歯車９が上部収納体１１に収納されて、上部収納体１１と下部収納体１２とが分離可能になる。また捻り用ピニオン５を７２０度回転させる場合も、同じ操作を行うものとする。
【００１８】
次に、上記の網体の製造装置１を使用した網体の製造方法を、図９〜図１５に基づいて説明する。はじめに、図９に示すように、シリンダー２２で垂直スライドプレート１９を引き上げて、先送用挟持具４ａと後戻用挟持具４ｂの上部収納体１１と下部収納体１２とを分離する。
【００１９】
次に、上部収納体１１が分離された先送用挟持具４ａの下部収納体１２の上に、図１０に示すように、第１および第２の山形状列線２７、２８の屈曲部２７ａ、２８ａを載せると、小ループ状部２９、２９間に大ループ状部３０が形成される。
【００２０】
このように先送用挟持具４ａの下部収納体１２に小ループ状部２９を形成した後、シリンダー２２で垂直スライドプレート１９を引き下げて、上部収納体１１を下部収納体１２に合体させると、図１１に示すように、収納体１３内で上部歯車９と下部歯車１０とが合体されて、小ループ状部２９を挟み込んだ捻り用ピニオン５が形成される。そしてロックピン９ｂを引っ込めてロックを解除すると、捻り用ピニオン５の回転が可能になる。
【００２１】
次に、水平スライドプレート７でラック６を所定の幅だけ前方に移動させると、捻り用ピニオン５が収納体１３内で軸１５を中心に時計回りの方向に３６０度回転する。この回転により小ループ状部２９も一回転して、図１２に示すような小網目３２と大網目３３とが同時に形成される。この小網目３２の捻り部２５は捻り用ピニオン５の中央部における凹部３４内で形成される。
【００２２】
このように捻り用ピニオン５を一回転させると、下部収納体１２には下部歯車１０が、上部収納体１１には、上部歯車９がそれぞれ収納されて上下に分離可能となるので、ロックピン９ｂを突出させて上部歯車９をロックした後に、垂直スライドプレート１９を引き上げて上部収納体１１を下部収納体１２から分離させる。
【００２３】
次に、小網目３２を下部収納体１２から取り外すとともに、該小網目３２が形成された山形状列線３１を前方へ先送りする（順方向）。そして、先送用挟持具４ａの下部収納体１２の上に、第３および第４の山形状列線３５、３６の屈曲部３５ａ、３６ａを載せて、前記と同じ小ループ状部２９と大ループ状部３０とを形成する。次に、上記と同じ操作により、小ループ状部２９を回転させて、小網目３２と大網目３３とを形成し、これらを上記と同じように先送りする。このような操作を順次繰り返すと時計回りに捻られた小網目の列３２ａが一つおきに形成される（図１３参照）。
【００２４】
次に、この小網目の列３２ａが形成された山形状列線３１の前方への先送りが完了すると、この山形状列線３１を手前側に引き戻しながら（逆方向）後戻用挟持具４ｂで他の小網目３２を形成する。この小網目３２の形成は、はじめに前記の小網目の列３２ａの間に形成された小ループ状部２９を、後戻用挟持具４ｂの下部収納体１２の上に載置させた後、この下部収納体１２に上部収納体１１を合体させる。次に、前方に移動した水平スライドプレート７を後方に引き戻して、後戻用挟持具４ｂのラック６を所定の幅だけ後方に移動させると、小ループ状部２９が前記とは反対方向の反時計回りに回転して、反時計回りに捻られた小網目３２が形成される。
【００２５】
次に、垂直スライドプレート１９を引き上げて上部収納体１１を下部収納体１２から分離させるとともに、該下部収納体１２から小網目３２を取り外して引き戻す。次に、後戻用挟持具４ｂの下部収納体１２の上に、次の小ループ状部２９を載せて、上記と同じ操作により、反時計回りに捻られた小網目３２を形成する。このような操作を順次繰り返すと反時計回りに捻られた小網目の列３２ｂが、時計回りに捻られた小網目の列３２ａの間に形成される（図１４参照）。
【００２６】
このように水平スライドプレート７の前後の移動にともなう山形状列線３１の先送りおよび引き戻しにより、時計回りと反時計回りに捻られた小網目の列３２ａ、３２ｂが交互に形成された網体３７が製造される。
【００２７】
上記の方法で製造された網体は、図１５に示すように、小網目３２と大網目３３とからなり、この小網目３２のうち先送りで形成された小網目の列３２ａと、引き戻しで形成された小網目の列３２ｂとは互いに異なった方向、すなわち時計回りと、反時計回りとで形成されている。このように隣接した小網目３２が互いに異なった方向で捻られて形成されているため、網体３７はどの方向にも反らずに水平なのものとなる。
【図面の簡単な説明】
【００２８】
【図１】網体の製造装置の側面図である。
【図２】網体の製造装置の正面図である。
【図３】図２のＡ−Ａ線断面図である。
【図４】小網目形成装置の斜視図である。
【図５】（１）および（２）は小網目形成装置の断面図である。
【図６】上下の収納体が分離した小網目形成装置の斜視図である。
【図７】下部収納体の斜視図である。
【図８】上部収納体の斜視図である。
【図９】上下の収納体が分離した網体の製造装置の正面図である。
【図１０】（１）は山形状列線を下部収納体に載せた平面図、（２）は（１）の拡大平面図である。
【図１１】（１）および（２）は山形状列線の屈曲部を挟んだ小網目形成装置の断面図である。
【図１２】（１）は小網目を形成した網線を載せた下部収納体の平面図、（２）は同下部収納体の斜視図である。
【図１３】小網目を形成した網線を先送りした下部収納体の平面図である。
【図１４】小網目を形成した網線を引き戻した下部収納体の平面図である。
【図１５】網体の平面図である。
【図１６】従来の網体の平面図である。
【符号の説明】
【００２９】
１  網体の製造装置
２  基台
３  テーブル
４  小網目形成装置
４ａ  先送用挟持具
４ｂ  後戻用挟持具
５  捻り用ピニオン
６  ラック
７  水平スライドプレート
８、２２  シリンダ
９  上部歯車
９ａ  ロック装置
９ｂ  ロックピン
１０  下部歯車
１１  上部収納体
１２  下部収納体
１３  収納体
１４  環状突起
１５  軸
１６  捻り用ピニオンの歯
１７  開口部
１８  ラックの歯
１９  垂直スライドプレート
２０  側壁
２１  スライド用のガイド
２３  天板
２４  収納凹部
２５  捻り部
２６  凹溝
２７  第１の山形状列線
２７ａ、２８ａ、３５ａ、３６ａ、４０  屈曲部
２８  第２の山形状列線
２９  小ループ状部
３０  大ループ状部
３１、３９  山形状列線
３２  小網目
３２ａ、３２ｂ  小網目の列
３３  大網目
３４  凹部
３５  第３の山形状列線
３６  第４の山形状列線
３７  網体
３８  菱形金網
４１  網目
【図１】
2006007243.tif 000003
【図２】
2006007243.tif 000004
【図３】
2006007243.tif 000005
【図４】
2006007243.tif 000006
【図５】
2006007243.tif 000007
【図６】
2006007243.tif 000008
【図７】
2006007243.tif 000009
【図８】
2006007243.tif 000010
【図９】
2006007243.tif 000011
【図１０】
2006007243.tif 000012
【図１１】
2006007243.tif 000013
【図１２】
2006007243.tif 000014
【図１３】
2006007243.tif 000015
【図１４】
2006007243.tif 000016
【図１５】
2006007243.tif 000017
【図１６】
2006007243.tif 000018